(57)【特許請求の範囲】
【請求項１】
記録液を吐出するヘッドが上向きに配置された画像形成装置であって、
前記ヘッドの記録液吐出面に、前記記録液の吐出口とは別に設けられた廃液口と、
前記廃液口に続いて前記ヘッド内に設けられるとともに、前記ヘッドの外部へと続く開口部を備えた廃液用流路と、を有し、
前記記録液吐出面に残留した記録液が、前記廃液口及び前記廃液用流路を介して、前記ヘッドの外部へ排出される画像形成装置であって、
前記廃液用流路の開口部と接続され、空気を吸引する吸引手段を有し、
前記記録液吐出面に残留した記録液は、前記吸引手段により吸引された空気とともに前記廃液口から吸引され、前記廃液用流路を介して前記ヘッドの外部へ排出されることを特徴とする画像形成装置。
【請求項２】
記録液を吐出するヘッドが上向きに配置された画像形成装置であって、
前記ヘッドの記録液吐出面に、前記記録液の吐出口とは別に設けられた廃液口と、
前記廃液口に続いて前記ヘッド内に設けられるとともに、前記ヘッドの外部へと続く開口部を備えた廃液用流路と、を有し、
前記記録液吐出面に残留した記録液が、前記廃液口及び前記廃液用流路を介して、前記ヘッドの外部へ排出される画像形成装置であって、
前記記録液吐出面に対して空気を流入させる空気流入手段を有し、
前記記録液吐出面に残留した記録液は、前記空気流入手段により流入された空気に押されて前記廃液口へ流れ込み、前記廃液用流路を介して前記ヘッドの外部へ排出される画像形成装置であって、
前記廃液用流路の開口部と接続され、空気を吸引する吸引手段を有し、
前記記録液吐出面に残留した記録液は、前記吸引手段により吸引された空気とともに前記廃液口から吸引され、前記廃液用流路を介して前記ヘッドの外部へ排出されることを特徴とする画像形成装置。
【請求項３】
前記空気流入手段は、
前記記録液の吐出不良時に前記吐出口の吸引を行うために前記記録液吐出面を覆うように取り付けられるキャップを介して設けられるものであり、
前記吐出口の吸引を行う手段を兼ね備え、
空気の流れる方向を逆転させることで、前記吐出口の吸引と、前記記録液吐出面に対する空気の流入とを切り替えることを特徴とする請求項２記載の画像形成装置。
【請求項４】
前記空気流入手段は、
前記記録液の吐出不良時に前記吐出口の吸引を行うために前記記録液吐出面を覆うように取り付けられるキャップを介して設けられるものであり、
前記記録液吐出面に対する空気の流入を専門に行うことを特徴とする請求項２記載の画像形成装置。
【請求項５】
前記記録液吐出面に残留した記録液が自重により前記廃液口へ流れ込むように前記液体吐出面を傾斜させる手段を有することを特徴とする請求項１から４のいずれか１項に記載の画像形成装置。
【請求項６】
前記液体吐出面には任意の曲率が設けられていることを特徴とする請求項１から５のいずれか１項に記載の画像形成装置。
【請求項７】
記録液を吐出するヘッドが上向きに配置された画像形成装置が行う記録液排出方法であって、
前記記録液吐出面に残留した記録液を、吸引手段により吸引された空気とともに前記廃液口から吸引し、前記記録液の吐出口とは別に前記ヘッドの記録液吐出面に設けられた廃液口と、前記廃液口に続いて前記ヘッド内に設けられるとともに、前記ヘッドの外部へと続く開口部を備えた廃液用流路とを介して、前記ヘッドの外部へ排出することを特徴とする記録液排出方法。
【発明の詳細な説明】
【技術分野】
【０００１】
本発明は、記録液を吐出するヘッドを備えた画像形成装置及び記録液排出方法に関する。
【背景技術】
【０００２】
画像形成の際、記録媒体（例えば用紙）に対して記録液（例えばインク）を吐出するヘッドを備えた画像形成装置が普及している。上記ヘッドは、液滴吐出ヘッド、液体吐出ヘッド、記録ヘッド、インク吐出ヘッド、インクジェットヘッドなどと呼ばれる。このようなヘッドでは、ノズルに気泡が入ると、吐出性能が劣化する。そこで、吐出性能を回復させるために、ヘッドのノズル面（記録液が吐出される面。記録液吐出面ともいう）にキャップを接触させ（キャッピング）、ポンプで吸引することで、ノズルに入った気泡を排出させる技術（ヘッド吸引）が既に知られている。
【０００３】
しかし、上述したヘッド吸引は、ヘッドが鉛直方向下向きに配置された（記録液の吐出方向が鉛直下方向となる）画像形成装置において使用する分には問題が生じないが、ヘッドが鉛直方向上向きに配置された（記録液の吐出方向が鉛直上方向となる）画像形成装置で使用すると、以下の問題が生じる。
【０００４】
すなわち、ヘッドが上向きに配置されたインクジェット方式の画像形成装置において上記ヘッド吸引を使用した場合、ヘッドのノズル面にキャップを接触させ、ポンプで吸引するまでは特に問題はない。しかし、ヘッド吸引後のデキャップ（ノズル面に接触させていたキャップを取り外す）動作時に、ヘッドが上向きであることから、キャップ内に残留するインクがノズル面に残ってしまう。ノズル面に残ったインクは、ノズル面で固着するのみならず、ノズル面から垂れて固着する。これにより、ノズルの吐出不良が生じたり、あるいは、固着したインクが紙面を汚したりするといった問題が生じる。
【０００５】
なお、本発明に関連する技術例として例えば特許文献１には、キャップのニップ部を清掃する清掃部材を設け、キャップがキャッピング位置に移動する時に上記清掃部材の開口部を通過することにより、キャップのニップ部に残留したインクを除去する構成が開示されている。この構成は、残留したインクを除去するものではあるが、ヘッドが上向きに配置された画像形成装置においてヘッド吸引を行った場合に、ヘッド吸引後のデキャップ動作時にキャップ内に残留するインクがノズル面に残ってしまうという問題を解消できる構成ではない。
【発明の概要】
【発明が解決しようとする課題】
【０００６】
本発明は、上記事情に鑑みてなされたものであり、記録液を吐出するヘッドが上向きに配置された画像形成装置において、ヘッド吸引後のデキャップの際に記録液がノズル面に残留することを防止する画像形成装置及び記録液排出方法を提供することを目的とする。
【課題を解決するための手段】
【０００７】
かかる目的を達成するために、本発明の画像形成装置は、記録液を吐出するヘッドが上向きに配置された画像形成装置であって、ヘッドの記録液吐出面に、記録液の吐出口とは別に設けられた廃液口と、廃液口に続いてヘッド内に設けられるとともに、ヘッドの外部へと続く開口部を備えた廃液用流路と、を有し、記録液吐出面に残留した記録液が、廃液口及び廃液用流路を介して、ヘッドの外部へ排出される画像形成装置であって、廃液用流路の開口部と接続され、空気を吸引する吸引手段を有し、記録液吐出面に残留した記録液は、吸引手段により吸引された空気とともに廃液口から吸引され、廃液用流路を介してヘッドの外部へ排出されることを特徴とする。
【発明の効果】
【０００９】
本発明によれば、記録液を吐出するヘッドが上向きに配置された画像形成装置において、ヘッド吸引後のデキャップの際に記録液がノズル面に残留することを防止することが可能となる。
【図面の簡単な説明】
【００１０】
【図１】本発明の一実施形態に係る画像形成装置の前方側の外観を示す斜視図である。
【図２】図１に示す画像形成装置の機構部の全体構成を概略的に示す側断面図である。
【図３】図１及び図２に示す画像形成装置の機構部の要部構成を模式的に示す平面図である。
【図４】本発明の一実施形態に係る画像形成装置のサブシステムの要部構成を模式的に示す平面図である。
【図５】本発明の一実施形態に係る画像形成装置のサブシステムの概略構成を模式的に示す側断面図である。
【図６】図４の右側を正面とした図である。
【図７】本発明の一実施形態に係る画像形成装置における維持回復機構の構成例１を示す図である。
【図８】本発明の一実施形態に係る画像形成装置における維持回復機構の構成例２を示す図である。
【図９】本発明の一実施形態に係る画像形成装置における維持回復機構の構成例３を示す図である。
【図１０】本発明の一実施形態に係る画像形成装置における維持回復機構の構成例４を示す図である。
【図１１】本発明の一実施形態に係る画像形成装置におけるヘッドの傾斜動作の一例を示す図である。
【図１２】本発明の一実施形態に係る画像形成装置におけるヘッドのノズル面に曲率を持たせた一例を示す図である。
【発明を実施するための形態】
【００１１】
以下、本発明を実施するための形態（実施形態）について添付図面を参照して詳細に説明する。
【００１２】
本実施形態は、記録液（記録液滴）を吐出するヘッドを上向きに配置したインクジェット方式画像形成装置において、ヘッドのノズル面に対してキャッピングを行って記録液を吸引する処理（上述したヘッド吸引）に際して、以下の特徴を有する。要するに、本実施形態では、ノズル面（記録液吐出面）に残留するインクが、インクの自重や吸引ポンプにより、ノズル面に形成された廃液口とヘッド内に設けられた廃液用流路を通って排出されることが特徴になっている。この特徴について、図面を用いて詳細に解説する。
【００１３】
本発明の一実施形態に係る画像形成装置について説明する。図１は、画像形成装置の前方側の外観を示す斜視図である。画像形成装置は、図１に示すように、装置本体１と、装置本体１に装着した用紙を装填するための給紙トレイ２と、装置本体１に装着され画像が記録（形成）された用紙をストックするための排紙トレイ３とを備えている。さらに、画像形成装置は、装置本体１の前面４の一端部側において、前面４から前方側に突き出し、上面５よりも低くなったカートリッジ装填部６を有し、このカートリッジ装填部６の上面には操作キーや表示器などの操作部７を配置している。カートリッジ装填部６には、液体補充手段としての液体保管用タンクであるメインタンク（以下、「インクカートリッジ」という）１０が交換可能に装着されている。また、インクカートリッジ１０の前方には、開閉可能な前カバー８を有している。
【００１４】
図２は、図１に示す画像形成装置の機構部の全体構成を概略的に示す側断面図である。給紙トレイ３の用紙積載部（底板）４１上に積載した用紙４２を給紙するための給紙部について説明する。給紙部は、用紙積載部４１から用紙４２を１枚ずつ分離給送する半月コロ（給紙コロ）４３と、その給紙コロ４３に対向し、摩擦係数の大きな材質からなる分離パッド４４とを備える。この分離パッド４４は給紙コロ４３側に付勢されている。
【００１５】
この給紙部から給紙された用紙４２を記録ヘッド３４の下方側で搬送するための搬送部について説明する。搬送部は、用紙４２を静電吸着して搬送するための搬送ベルト５１と、給紙部からガイド４５を介して送られる用紙４２を搬送ベルト５１との間で挟んで搬送するためのカウンタローラ５２と、略鉛直上方に送られる用紙４２を略９０°方向転換させて搬送ベルト５１上に倣わせるための搬送ガイド５３と、押さえ部材５４で搬送ベルト５１側に付勢された先端加圧コロ５５とを備えている。また、搬送部は、搬送ベルト５１表面を帯電させるための帯電手段である帯電ローラ５６を備えている。
【００１６】
ここで、搬送ベルト５１は、無端状ベルトであり、搬送ローラ５７とテンションローラ５８との間に掛け渡されて、図３のベルト搬送方向に周回するように構成している。帯電ローラ５６は、搬送ベルト５１の表層に接触し、搬送ベルト５１の回動に従動して回転するように配置され、加圧力として軸の両端に各２．５Ｎをかけている。
【００１７】
また、搬送ベルト５１の裏側には、記録ヘッド３４による印写領域に対応してガイド部材６１を配置している。このガイド部材６１は、上面が搬送ベルト５１を支持する２つのローラ（搬送ローラ５７とテンションローラ５８）の接線よりも記録ヘッド３４側に突出している。これにより、搬送ベルト５１は、印写領域ではガイド部材６１の上面にて押し上げられてガイドされるので、高精度な平面性を維持される。
【００１８】
記録ヘッド３４で記録された用紙４２を排紙するための排紙部について説明する。排紙部は、搬送ベルト５１から用紙４２を分離するための分離爪７１と、排紙ローラ７２及び排紙コロ７３とを備え、排紙ローラ７２の下方に排紙トレイ３を備えている。ここで、排紙ローラ７２と排紙コロ７３との間から排紙トレイ３までの高さは、排紙トレイ３にストックできる量を多くするために、ある程度高くしている。
【００１９】
また、装置本体１の背面部には両面給紙ユニット８１が着脱自在に装着されている。この両面給紙ユニット８１は、搬送ベルト５１の逆方向回転で戻される用紙４２を取り込んで反転させ、再度カウンタローラ５２と搬送ベルト５１との間に給紙する。また、この両面給紙ユニット８１の上面には手差し給紙部８２を設けている。
【００２０】
図３は、図１及び図２に示す画像形成装置の機構部の要部構成を模式的に示す平面図である。図３において、フレーム２１を構成する左右の側板２１Ａ、２１Ｂに横架したガイド部材であるガイドロッド３１とステー３２とでキャリッジ３３を主走査方向に摺動自在に保持する。そして、図示しない主走査モータによって、キャリッジ３３を図３の矢示方向（キャリッジ走査方向：主走査方向）に移動走査する。
【００２１】
このキャリッジ３３には、記録液滴（以下、「インク」、「インク滴」という）を吐出するためのインク吐出ヘッド（ヘッドともいう）を有する。インク吐出ヘッドは、例として、複数の記録ヘッド３４からなり、複数のノズルを主走査方向と交叉する方向に配列し、インク滴吐出方向を下方に向けて装着している。
【００２２】
ここで、複数の記録ヘッド３４は、例えば、イエロー（Ｙ）のインクを吐出する記録ヘッド３４ｙ、マゼンタ（Ｍ）のインクを吐出する記録ヘッド３４ｍ、シアン（Ｃ）のインクを吐出する記録ヘッド３４ｃ、ブラック（Ｂｋ）のインクを吐出する記録ヘッド３４ｂとで構成している。なお、「記録ヘッド３４」というときは、色を区別しないものとする。
【００２３】
なお、記録ヘッド３４のヘッド構成は、上記例に限るものではなく、１又は複数の色のインクを吐出する１又は複数のノズル列を有する記録ヘッドを１又は複数用いて構成することもできる。
【００２４】
記録ヘッド３４を構成するインク吐出ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどを使用できる。
【００２５】
この記録ヘッド３４にはドライバＩＣを搭載し、図３に示すように、図示しない制御部との間でハーネス（ＦＰＣケーブル）２２を介して接続されている。
【００２６】
また、キャリッジ３３には、各記録ヘッド３４にそれぞれ各色の記録液を供給するための各色のサブタンク３５ｙ、３５ｍ、３５ｃ、３５ｋ（色を区別しない場合は「サブタンク３５」という）を搭載している。
【００２７】
このサブタンク３５ｙ、３５ｍ、３５ｃ、３５ｋには、各色の４本のチューブで構成される記録液供給チューブ３７を介して、前述した各色のインクカートリッジ１０（各色を区別する場合には、「インクカートリッジ１０ｙ、１０ｍ、１０ｃ、１０ｋ」という）から記録液を供給するようにしている。なお、各色のチューブも記録液を供給する記録液供給チューブである。
【００２８】
ここで、インクカートリッジ１０は、図３にも示すように、カートリッジ装填部６に収納され、このカートリッジ装填部６にはインクカートリッジ１０内の記録液を送液するための供給ポンプユニット２３が設けられている。
【００２９】
また、インクカートリッジ装填部６からサブタンク３５に至るまでの記録液供給チューブ３７は這い回しの途中でフレーム２１を構成する後板２１Ｃに本体側ホルダ２５にて固定保持されている。さらに、キャリッジ３３上でも固定リブ２６にて固定されている。
【００３０】
さらに、図３に示すように、キャリッジ３３の走査方向の一方側の非印字領域には、記録ヘッド３４のノズルの状態を維持し、回復するための本発明に係る維持装置を含む信頼性維持回復機構（以下「サブシステム」という）９１を配置している。
【００３１】
このサブシステム９１は、記録ヘッド３４の各ノズル面をキャピングするための各キャップ９２ａ〜９２ｄ（区別しないときは「キャップ９２」という）と、ノズル面をワイピングするためのブレード部材であるワイパーブレード９３と、増粘した記録液を排出するために記録に寄与しないインクを吐出させる空吐出を行うときに、空吐出されたインクを受ける空吐出受け９４と、この空吐出受け９４に一体形成され、ワイパーブレード９３に付着した記録液を除去するための清掃部材であるワイパークリーナ９５と、ワイパーブレード９３のクリーニング時にワイパーブレード９３をワイパークリーナ９５側に押し付けるクリーナ手段を構成するクリーナコロ９６などを備えている。なお、サブシステム９１の詳細については、後述する。
【００３２】
また、図３に示すように、キャリッジ３３の走査方向の他方側の非印字領域には、記録中などに増粘した記録液を排出するために記録に寄与しないインクを吐出させる空吐出が行われたときに、空吐出されたインクを受ける空吐出受け９８を配置し、この空吐出受け９８には記録ヘッド３４のノズル列方向に沿った開口９９などを備えている。
【００３３】
このように、図１〜図３に示す構成の画像形成装置は、インクジェット記録装置を例としている。このインクジェット記録装置における動作を説明する。
【００３４】
このインクジェット記録装置では、図２において、給紙トレイ２から用紙４２が１枚ずつ分離給紙され、略鉛直上方に給紙された用紙４２はガイド４５で案内され、搬送ベルト５１とカウンタローラ５２との間に挟まれて搬送され、更に先端を搬送ガイド５３で案内されて先端加圧コロ５５で搬送ベルト５１に押し付けられ、略９０°搬送方向を転換される。
【００３５】
このとき、図示しない制御回路によって高圧電源から帯電ローラ５６に対してプラス出力とマイナス出力とが交互に繰り返すように、つまり交番する電圧が印加され、搬送ベルト５１が交番する帯電電圧パターン、すなわち、周回方向である副走査方向に、プラスとマイナスが所定の幅で帯状に交互に帯電されたものとなる。このプラス、マイナス交互に帯電した搬送ベルト５１上に用紙４２が給送されると、用紙４２が搬送ベルト５１に静電的に吸着され、搬送ベルト５１の周回移動によって用紙４２が副走査方向に搬送される。
【００３６】
そこで、キャリッジ３３を移動させながら画像信号に応じて記録ヘッド３４を駆動することにより、停止している用紙４２にインク滴を吐出して１行分を記録し、用紙４２を所定量搬送後、次の行の記録を行う。記録終了信号又は用紙４２の後端が記録領域に到達した信号を受けることにより、記録動作を終了して、用紙４２を排紙トレイ３に排紙する。
【００３７】
また、印字（記録）待機中において、キャリッジ３３は、サブシステム９１側に移動されて、キャップ９２で記録ヘッド３４がキャッピングされて、ノズルを湿潤状態に保つことによりインク乾燥による吐出不良を防止する。また、キャップ９２で記録ヘッド３４をキャッピングした状態でノズルから記録液を吸引し（「ノズル吸引」又は「ヘッド吸引」という）、増粘した記録液や気泡を排出する回復動作を行う。また、記録開始前、記録途中などに記録と関係しないインクを吐出する空吐出動作を行う。これによって、記録ヘッド３４の安定した吐出性能を維持する。
【００３８】
次に、上述したサブシステム９１について、図４〜図６を参照して以下に説明する。図４は、サブシステム９１の要部構成を模式的に示す平面図である。図５は、サブシステム９１の概略構成を模式的に示す側断面図である。図６は、図４の右側を正面とした図である。
【００３９】
サブシステムのフレーム（維持装置フレーム）１１１には、キャップ保持機構である２つのキャップホルダ１１２Ａ、１１２Ｂと、清浄化手段としての弾性体を含むワイピング部材であるワイパーブレード９３と、キャリッジロック１１５とがそれぞれ昇降可能（上下動可能）に保持されている。また、ワイパーブレード９３とキャップホルダ１１２Ａとの間には空吐出受け９４が配置される。また、ワイパーブレード９３のクリーニングを行うために、空吐出受け９４の清掃部材であるワイパークリーナ９５（図５参照）側に、フレーム１１１の外側からワイパーブレード９３を押し付けるための清掃部材であるクリーナコロ９６を含むクリーナ手段であるワイパークリーナ１１８が揺動可能に保持されている。揺動とは、「揺れ動くこと」や「３６０°以下の角度で正回転又は逆回転すること」を意味する。
【００４０】
キャップホルダ１１２Ａ、１１２Ｂ（区別しないときは「キャップホルダ１１２」という）には、それぞれ、２つの記録ヘッド３４のノズル面をそれぞれキャッピングする２つのキャップ９２ａと９２ｂ、キャップ９２ｃと９２ｄを保持している。
【００４１】
ここで、印字領域に最も近い側のキャップホルダ１１２Ａに保持したキャップ９２ａには可撓性チューブ１１９を介して吸引手段であるチュービングポンプ（吸引ポンプ）１２０を接続し、その他のキャップ９２ｂ、９２ｃ、９２ｄはチュービングポンプ１２０を接続していない。すなわち、キャップ９２ａのみを吸引（回復）及び保湿用キャップ（以下単に「吸引用キャップ」という）とし、その他のキャップ９２ｂ、９２ｃ、９２ｄはいずれも単なる保湿用キャップとしている。したがって、記録ヘッド３４の回復動作を行うときには、回復動作を行う記録ヘッド３４を吸引用キャップ９２ａによってキャッピング可能な位置に選択的に移動させる。
【００４２】
また、これらのキャップホルダ１１２Ａ、１１２Ｂの下方には、フレーム１１１に回転自在に支持したカム軸１２１を配置している。このカム軸１２１には、キャップホルダ１１２Ａ、１１２Ｂを昇降させるためのキャップカム１２２Ａ、１２２Ｂと、ワイパーブレード９３を昇降させるためのワイパーカム１２４、キャリッジロック１１５をキャリッジロックアーム１１７を介して昇降させるためのキャリッジロックカム１２５と、空吐出受け９４内で空吐出される液滴がかかる空吐出付着部材である回転体としてのコロ１２６と、ワイパークリーナ１１８を揺動させるためのクリーナカム１２８とをそれぞれ設けている。
【００４３】
ここで、キャップ９２はキャップカム１２２Ａ、１２２Ｂにより昇降させられる。ワイパーブレード９３はワイパーカム１２４により昇降させられ、下降時にワイパークリーナ１１８が進出して、このワイパークリーナ１１８のクリーナコロ９６と空吐出受け９４のワイパークリーナ９５とに挟まれながら下降することで、ワイパーブレード９３に付着したインクが空吐出受け９４内に掻き落とされる。
【００４４】
キャリッジロック１１５は、図示しない圧縮バネによって上方（ロック方向）に付勢されて、キャリッジロックカム１２５で駆動されるキャリッジロックアーム１１７を介して昇降させられる。
【００４５】
そして、チュービングポンプ１２０及びカム軸１２１を回転駆動するために、モータ１３１の回転をモータ軸１３１ａに設けたモータギヤ１３２に、チュービングポンプ１２０のポンプ軸１２０ａに設けたポンプギヤ１３３を噛み合わせ、更にこのポンプギヤ１３３と一体の中間ギヤ１３４に中間ギヤ１３５を介して一方向クラッチ１３７付きの中間ギヤ１３６を噛み合わせ、この中間ギヤ１３６と同軸の中間ギヤ１３８に中間ギヤ１３９を介してカム軸１２１に固定したカムギヤ１４０を噛み合わせている。なお、クラッチ１３７付きの中間ギヤ１３６、１３８の回転軸である中間軸１４１はフレーム１１１にて回転可能に保持している。
【００４６】
また、カム軸１２１にはホームポジションを検出するためのホームポジションセンサ用カム１４２を設け、このサブシステム９１に設けた図示しないホームポジションセンサにてキャップ９２が最下端に来たときにホームポジションレバー（不図示）を作動させ、センサが開状態になってモータ１３１（ポンプ１２０以外）のホームポジションを検知する。なお、電源オン時には、キャップ９２（キャップホルダ１１２）の位置に関係なく上下（昇降）し、移動開始までは位置検出を行わず、キャップ９２のホーム位置（上昇途中）を検知した後に、定められた量を移動して最下端へ移動する。その後、キャリッジが左右に移動して位置検知後キャップ位置に戻り、記録ヘッド３４がキャッピングされる。
【００４７】
以上説明した画像形成装置は、インク吐出ヘッドが下方向を向いて配置（装着）されている（インク滴の吐出方向が鉛直方向下方向となる）例とした。これに対し、本実施形態の画像形成装置は、インク吐出ヘッドが上方向を向いて配置されている（インク滴の吐出方向が鉛直方向上方向となる）ものとする。ただし、インク吐出ヘッドが鉛直方向上向きに装着されている以外は、本実施形態の画像形成装置は、上記図１〜図６で説明した構成・動作と同様である。
【００４８】
次に、本実施形態の画像形成装置の各構成例について、以下に説明する。
【００４９】
〔構成例１〕
図７は、本実施形態の画像形成装置における維持回復機構の構成例を示す図である。
【００５０】
本実施形態の画像形成装置では、図７に示すように、ヘッド（ノズル）を上向きに配置し、ヘッドタンクに貯留されたインクを略鉛直方向上向きに吐出する構成を採用している。このような構成において、ノズルに気泡が入り吐出不良が生じた場合、図７に示すように、押圧手段による押圧により吸引キャップ（キャップともいう）をヘッドのノズル面（インクの吐出が行われる面）に接触させ、図示しない吸引ポンプ（図中に示すものとは別）で上方向に吸引する必要がある。そして、吸引後、吸引キャップをヘッドから離間させるデキャップが行われる。このとき、吸引キャップ内の残存インクがノズル面に広がり、インク垂れが生じる。垂れたインクは、ヘッドの側面に固着する。また、残存インクがノズル面に固着し、吐出不良が生じる、あるいは、用紙を汚すといった懸念がある。
【００５１】
そこで、本構成例１では、図７に示すように、吸引キャップ内の残存インクを処理する手段として、ノズル面に設けられた穴（ノズルとは別の穴。廃液口ともいう）と、その穴に続いてヘッド内に設けられた廃液用流路と、を有する。廃液口には撥水処理が施されてもよい。廃液用流路は、図７に示すように、ヘッドの側面に開口部がある。この開口部はヘッド外部と接続される。図７では、ヘッド側面における廃液用流路の開口部に対し、維持Ｍｄが接続された例としている。維持Ｍｄは、例えば、廃液用チューブ、吸引ポンプ（吸引手段の一例）、廃液タンク等で構成される。
【００５２】
このような図７の構成において、動作は次のようになる。すなわち、ユーザは、気泡の吸引終了後、デキャップの前に、維持Ｍｄ側のジョイント部（廃液用チューブの先端にある）を、ヘッド側面に設けられた廃液用流路の開口部に接続する。そして、ユーザは、吸引ポンプの動作（空気を吸引する動作）を指示する。これにより、吸引キャップ内のインク（ノズル面に存在しているインク）は、吸引される空気とともに、ノズル面に設けられた穴から廃液用流路に吸引され、さらに廃液チューブ、吸引ポンプを通り、図示しない廃液タンクへ排出される。なお、廃液用流路の開口部と維持Ｍｄとの接続は、上記のようにユーザの手動ではなく、例えば、キャリッジの主走査方向の運動によって行われるようにしてもよい。また、ヘッドのクリーニング時に、ヘッドとともに廃液口もクリーニングされるように構成してもよい。
【００５３】
〔構成例２〕
図８は、本実施形態の画像形成装置における維持回復機構の構成例を示す図である。
【００５４】
上記構成例１で説明した図７の構成ではデキャップ時の廃液性能が十分でない場合がある。そこで、本構成例では、図８に示すように、吸引キャップに吸引手段（例えば吸引ポンプ）を連結して設ける（廃液用チューブ側には吸引ポンプは設けない）。そして、本構成例では、ヘッド吸引終了後に、空気の流れる方向をヘッド吸引時と逆転させて大気開放を行い、吸引キャップ内へ空気を流入させることで、廃液処理を促進する。
【００５５】
すなわち、図８の構成においては、ヘッド吸引の際は、吸引手段は、ノズルから吸引した気泡を吸い上げるように動作する。すなわち、吸い上げられた気泡（インク）は、上方へ（吸引手段の方へ）と吸い上げられる。そして、ヘッド吸引が終了すると、吸引手段は、これまでの空気の流れを逆転させる。つまり、吸引手段は、吸引キャップ内へ空気を送り込む（流入させる）ように動作する。このとき、吸引手段は、空気流入手段（空気送り込み手段）として動作することになる。すなわち本構成例では、吸引手段が、空気の流れを逆転させることで、ヘッド吸引と、空気流入とを切り替えている。
【００５６】
空気の流入が行われると、吸引キャップ内のインク（ノズル面に存在しているインク）は、吸引キャップ内に送り込まれた空気に押され、ノズル面に設けられた穴から廃液用流路に流れ込む。その後、そのインクは、廃液チューブを通り、図示しない廃液タンクへ排出される。このように吸引キャップ内へ空気を流入させることで、廃液処理を効果的に実現できる。
【００５７】
〔構成例３〕
図９は、本実施形態の画像形成装置における維持回復機構の構成例を示す図である。
【００５８】
図９に示すように、図７の構成において吸引キャップに大気開放弁を設けても、同様の効果が得られる。大気開放弁は、ｙ方向において、廃液口（ノズル面に設けられた穴）と逆の位置に設けられる。そして、大気開放弁は、上記構成例２と同じく、ヘッド吸引が終了すると、吸引キャップ内（のノズル面）に空気を送り込む動作を行う。ただし、この大気開放弁は、空気を送り込む動作を専門に行う（吸引動作は兼ね備えない）。これにより、吸引キャップ内のインク（ノズル面に存在しているインク）は、吸引キャップ内に流入した空気に押されて廃液口の方に流れ、廃液用流路、廃液チューブを通り、図示しない廃液タンクへ送られる。このように吸引キャップ内へ空気を流入させることで、廃液処理を効果的に実現できる。
【００５９】
〔構成例４〕
図１０は、本実施形態の画像形成装置における維持回復機構の構成例を示す図である。
【００６０】
図８の構成を用いて排液性能が十分に得られない場合、図１０に示すように、吸引キャップに連結された吸引手段に加えて、第２の吸引手段（例えば吸引ポンプ）を設けるようにしてもよい。第２の吸引手段は、廃液用チューブに連結されている。廃液用チューブは、その先端にあるジョイント部により、廃液用流路の開口部と接続されている。すなわち、図１０に示す構成は、図７と図８の構成は組み合わせた形態である。図１０に示す２つの吸引手段の動作については、構成例１（図７）及び構成例２（図８）で説明した通りであるので、ここでの説明は省略する。このように、図１０に示す構成により、排液性能をさらに向上させることが可能となる。
【００６１】
なお、図１０に示す２つの吸引手段を１つの駆動源で駆動させるようにしてもよい。これにより、部品点数及び部品コストを低減させることができる。
【００６２】
〔構成例５〕
図１１は、本実施形態の画像形成装置におけるヘッドの傾斜動作の一例を示す図である。なお、図１１では、ヘッドにおけるノズル、及び、廃液用流路の開口部に接続されている維持Ｍｄの図示を省略している。
【００６３】
図１１の左図（通常時）に示すように、ノズル面が水平に配置されている場合、インクがノズル面に多く残り、効果的に吸引できない。そこで、維持動作時に、キャリッジを支持する主ガイド部材と、その主ガイド部材と平行して配設されてキャリッジを支持する副ガイド部材とが相対的にｚ方向に移動することで、図１１右図（維持動作時）に示すように、廃液口が鉛直方向下向きになるようにノズル面を傾斜させるようにしてもよい。これにより、インクは、その自重により傾斜したノズル面を移動し、廃液口へ吸引されやすくなる。よって、インクの排出が効果的となる。
【００６４】
さらに、図１１に示すヘッドにおいて、廃液口及びそれに続く廃液用流路を複数設けるようにしてもよい。これにより、インクの吸引時間の短縮を図ることができる。
【００６５】
なお、本構成例は、上述した構成例１〜４のいずれかと組み合わせることが可能である。
【００６６】
〔構成例６〕
図１２は、本実施形態の画像形成装置におけるヘッドのノズル面に曲率を持たせた一例を示す図である。
【００６７】
図１２に示すように、ヘッドにおいて、ノズル面に曲率を持たせるようにしてもよい。これにより、ノズル面の端にインクが集まり、廃液口に流れやすくなる。この廃液口は、例えば、ノズル面以外に設けられたもの（図１２では図示略）であってもよいし、上述した構成例１〜５のようにノズル面に設けられたもの（図１２では図示略）であってもよい。
【００６８】
なお、本構成例は、上述した構成例１〜５のいずれかと組み合わせることが可能である。
【００６９】
以上説明したように、本実施形態によれば、ノズル面に残留するインクがその自重や吸引手段により、ノズル面に形成された廃液口とヘッド内の廃液用流路を通って排出されることを特徴としている。これにより、インクを吐出するヘッドが上向きに配置された画像形成装置において、ヘッド吸引後のデキャップの際にインクがノズル面に残留することを防止できる。よって、ノズル面に残留したインクが、ヘッド側面に垂れて固着したり、そのままノズル面で固着したりすることを防止できるので、固着したインクにより引き起こされる吐出不良を防止できる。
【００７０】
以上、本発明の実施形態について説明したが、上記実施形態に限定されるものではなく、その要旨を逸脱しない範囲において種々の変形が可能である。
【符号の説明】
【００７１】
１    装置本体
２    給紙トレイ
３    排紙トレイ
４    前面
５    上面
６    カートリッジ装填部
７    操作部
８    前カバー
１０    インクカートリッジ（メインタンク）
２１    フレーム
２１Ａ、２１Ｂ    側板
２１Ｃ    後板
２２    ハーネス
２３    供給ポンプユニット
２５    本体側ホルダ
２６    固定リブ
３１    ガイドロッド
３３    キャリッジ
３４    記録ヘッド
３５    サブタンク
３７    記録液供給チューブ
４１    用紙積載部
４２    用紙
４３    半月コロ（給紙コロ）
４４    分離パッド
４５    ガイド
５１    搬送ベルト
５２    カウンタローラ
５３    搬送ガイド
５４    押さえ部材
５５    先端加圧コロ
５６    帯電ローラ
５７    搬送ローラ
５８    テンションローラ
６１    ガイド部材
７１    分離爪
７２    排紙ローラ
７３    排紙コロ
８１    両面給紙ユニット
８２    手差し給紙部
９１    信頼性維持回復機構（サブシステム）
９２    キャップ
９３    ワイパーブレード
９４    空吐出受け
９６    クリーナコロ
９８    空吐出受け
９９    開口
１１１    サブシステムのフレーム（維持装置フレーム）
１１１ａ、１１１ｂ    掻き落とし部材
１１２Ａ、１１２Ｂ    キャップホルダ
１１５    キャリッジロック
１１７    キャリッジロックアーム
１２０    チュービングポンプ（吸引ポンプ）
１２１    カム軸
１２２Ａ、１２２Ｂ    キャップカム
１２４    ワイパーカム
１２５    キャリッジロックカム
１２６    コロ（回転体）
１２６Ａ    側壁
１３１    モータ
１３１ａ    モータ軸
１３２    モータギヤ
１３３    ポンプギヤ
１３４、１３５、１３６、１３８、１３９    中間ギヤ
１３７    クラッチ
１４１    中間軸
１４２    ホームポジションセンサ用カム
【先行技術文献】
【特許文献】
【００７２】
【特許文献１】特開２００５−１１９２１４号公報
【図１】
0005899661.tif 000002
【図２】
0005899661.tif 000003
【図３】
0005899661.tif 000004
【図４】
0005899661.tif 000005
【図５】
0005899661.tif 000006
【図６】
0005899661.tif 000007
【図７】
0005899661.tif 000008
【図８】
0005899661.tif 000009
【図９】
0005899661.tif 000010
【図１０】
0005899661.tif 000011
【図１１】
0005899661.tif 000012
【図１２】
0005899661.tif 000013